(57)【要約】  内視鏡の先端に取り付けられる筒状の先端部材（２）と、内視鏡の外側面に内視鏡の長手軸に沿って設けられ、生体組織を把持する把持具（７）と、先端部材（２）と把持具（７）とを接続する線状の接続部材（８）と、先端部材（２）の先端前方に突出して配置された電極（３）と、把持具（７）が生体組織を把持した状態で生体組織の処置する位置に電極（３）を移動させる電極駆動部とを備え、先端部材（２）が、長手軸を挟んで先端部材（２）の外周面に設けられ、接続部材（８）の端部を固定する保持部（３０）を備え、把持具（７）は、把持具（７）の先端が保持部（３０）を中心として回動可能に接続部材（８）に接続され、電極（３）は、把持具（７）の先端方向に対して垂直な方向に延出し、先端部材（２）が内視鏡に取り付けられた状態で、電極駆動部による内視鏡の長手軸に直交する方向に移動する内視鏡用処置具（１）である。
2020054014.tif 000002
【特許請求の範囲】
【請求項１】
内視鏡の先端に取り付けられる筒状の先端部材と、
前記内視鏡の外側面に前記内視鏡の長手軸に沿って設けられ、生体組織を把持する把持具と、
前記先端部材と前記把持具とを接続する線状の接続部材と、
該先端部材の先端前方に突出して配置された電極と、
該把持具が前記生体組織を把持した状態で前記生体組織の処置する位置に前記電極を移動させる電極駆動部と、を備え、
前記先端部材が、前記長手軸を挟んで前記先端部材の外周面に設けられ、前記接続部材の端部を固定する保持部を備え、
前記把持具は、前記把持具の先端が前記保持部を中心として回動可能に前記接続部材に接続され、
前記電極は、前記把持具の先端方向に対して垂直な方向に延出し、前記先端部材が前記内視鏡に取り付けられた状態で、前記電極駆動部による前記内視鏡の前記長手軸に直交する方向に移動する内視鏡用処置具。
【請求項２】
前記電極駆動部は、前記先端部材の先端面に沿う方向に前記電極を移動させる請求項１に記載の内視鏡用処置具。
【請求項３】
前記先端部材が、前記内視鏡の前記長手軸に沿う方向に延びるチャンネルを備え、
前記把持具が、前記チャンネルに前記長手軸に沿う方向に移動可能に挿入される長尺の挿入部と、該挿入部の先端に配置された把持部とを備え、
前記接続部材が、前記先端部材の軸線および前記チャンネルの軸線を含む平面に直交する軸線を中心とした円弧状の軌跡に沿って、前記内視鏡の前記長手軸に交差する方向に前記把持部を案内する請求項２に記載の内視鏡用処置具。
【請求項４】
前記電極駆動部が、前記電極を、前記内視鏡の前記長手軸に直交する方向に前記先端部材の下から全高寸法の２／３までの範囲で移動させる請求項２に記載の内視鏡用処置具。
【請求項５】
前記電極は、前記内視鏡の前記長手軸に直交、かつ前記電極駆動部による前記電極の移動方向に直交する方向の中央部分を露出させ、前記先端部材の全幅寸法の２０％以上８０％以下の長さを電気的な絶縁部材によって被覆されている請求項２に記載の内視鏡用処置具。
【請求項６】
前記電極の露出している前記中央部分が、前記絶縁部材よりも前方に突出している請求項５に記載の内視鏡用処置具。
【請求項７】
前記電極駆動部が、前記電極に接続するワイヤと、前記先端部材に該先端部材を挟んで前記把持具に対して反対側の位置に先端が固定され、前記ワイヤとともに前記電極を前記長手軸に直交する方向に伸縮する弾性部材と、前記ワイヤを移動可能に挿入するチューブと、該チューブの基端に接続され、前記ワイヤを長手方向に進退操作する操作部とを備える請求項１から請求項６のいずれかに記載の内視鏡用処置具。
【請求項８】
前記チューブが、前記電極に固定された鍔状部と、前記チューブの先端から基端側に所定距離離れた位置において設けられた段部とを備え、
前記弾性部材は、前記段部と前記鍔状部との間に配置されている請求項７に記載の内視鏡用処置具。
【発明の詳細な説明】
【技術分野】
【０００１】
本発明は、内視鏡用処置具に関するものである。
【背景技術】
【０００２】
内視鏡の先端に着脱可能に取り付けられるキャップと、キャップの先端前方に突出し、内視鏡の視界を左右に横断する高周波切開電極とを備え、高周波電極付近とその周辺の組織の状態を観察しながら組織を切開する内視鏡用処置具が知られている（例えば、特許文献１および特許文献２参照。）。
【先行技術文献】
【特許文献】
【０００３】
【特許文献１】特開２００５−６６１３９号公報
【特許文献２】国際公開第２０１６／００６４０７号
【発明の概要】
【発明が解決しようとする課題】
【０００４】
しかしながら、例えば、粘膜を挙上しながら粘膜下層を切開する場合に、粘膜の挙上の程度によって、切開すべき位置が相違する。このため、特許文献１の内視鏡用処置具では、切開すべき位置に高周波切開電極を一致させるように内視鏡の湾曲部の湾曲度合いを変化させる必要があり、内視鏡と組織との位置関係が変動してしまうという不都合がある。
また、特許文献２の内視鏡システムでは、粘膜と筋層の位置を正確に切開すべき位置に電極部を配置するが煩雑であり、内視鏡の挿入部の操作によっては内視鏡と組織との位置関係が変動してしまうという不都合がある。【０００５】
本発明は、内視鏡と組織との位置関係を変動させることなく、切開すべき部位に精度よく高周波切開電極を一致させることができる内視鏡用処置具を提供することを目的としている。
【課題を解決するための手段】
【０００６】
本発明の一態様は、内視鏡の先端に取り付けられる筒状の先端部材と、前記内視鏡の外側面に前記内視鏡の長手軸に沿って設けられ、生体組織を把持する把持具と、前記先端部材と前記把持具とを接続する線状の接続部材と、該先端部材の先端前方に突出して配置された電極と、該把持具が前記生体組織を把持した状態で前記生体組織の処置する位置に前記電極を移動させる電極駆動部と、を備え、前記先端部材が、前記長手軸を挟んで前記先端部材の外周面に設けられ、前記接続部材の端部を固定する保持部を備え、前記把持具は、該把持具の先端が前記保持部を中心として回動可能に前記接続部材に接続され、前記電極は、前記把持具の先端方向に対して垂直な方向に延出し、前記先端部材が前記内視鏡に取り付けられた状態で、前記電極駆動部による前記内視鏡の前記長手軸に直交する方向に移動する内視鏡用処置具である。【０００７】
本態様によれば、内視鏡の先端に先端部材を取り付けると、電極は、把持具の先端方向に対して垂直な方向に延出して先端部材の先端面の前方に配置されるので、内視鏡の視野内において電極の位置を観察しながら、電極を生体組織に押し付けて、その周辺を切開することができる。この場合において、接続部材によって先端部材の保持部を中心として把持具の先端を回動させて、把持具の先端を生体組織に近接させて生体組織を把持具によって把持する。そして、把持具によって把持した生体組織の挙上の程度により、切開すべき部位が、例えば、現状の電極の位置に対して上方または下方に存在する場合には、電極駆動部を作動させて電極を内視鏡の視野内において移動させることができる。これにより、内視鏡と組織との位置関係を変動させることなく、切開すべき部位に精度よく電極を一致させることができる。【０００８】
上記態様においては、前記電極駆動部は、前記先端部材の先端面に沿う方向に前記電極を移動させてもよい。【０００９】
また、上記態様においては、前記先端部材が、前記内視鏡の前記長手軸に沿う方向に延びるチャンネルを備え、前記把持具が、前記チャンネルに前記長手軸に沿う方向に移動可能に挿入される長尺の挿入部と、該挿入部の先端に配置された把持部とを備え、前記接続部材が、前記先端部材の軸線および前記チャンネルの軸線を含む平面に直交する軸線を中心とした円弧状の軌跡に沿って、前記内視鏡の前記長手軸に交差する方向に前記把持部を案内してもよい。【００１０】
この構成により、チャンネルに対して挿入部を前進させると、接続部材によって円弧状の軌跡に沿って案内された把持部が、内視鏡の視野内で内視鏡の長手軸に交差する方向、例えば上方から下方に向けて移動し、下方に存在する組織を把持部によって把持することができる。この状態で、チャンネルに対して挿入部を後退させると、内視鏡の視野内において把持部が内視鏡の長手軸に交差する方向として下方から上方に向けて移動し、把持部によって把持された組織が挙上される。【００１１】
挙上の初期においては、切開すべき部位はより下方に存在するので、電極駆動部を作動させて電極を内視鏡の視野内で下降させることにより、内視鏡の視野を変動させることなく、切開すべき部位に電極を精度よく一致させることができる。また、組織が高い位置まで挙上されると、切開すべき部位も上昇するので、電極駆動部を作動させて電極を内視鏡の視野内で上昇させることにより、内視鏡の視野を変動させることなく、切開すべき部位に電極を精度よく一致させることができる。【００１２】
また、上記態様においては、前記電極駆動部が、前記電極を、前記内視鏡の前記長手軸に直交する方向に前記先端部材の下から全高寸法の２／３までの範囲で移動させてもよい。
この構成により、組織の挙上の度合いに応じて、切開すべき部位が、先端部材の下から全高寸法２／３までの範囲で変化するので、この変化に追従させて適正な位置で切開を行うことができる。【００１３】
また、上記態様においては、前記電極は、前記内視鏡の前記長手軸に直交、かつ前記電極駆動部による前記電極の移動方向に直交する方向の中央部分を露出させ、前記先端部材の全幅寸法の２０％以上８０％以下の長さを電気的な絶縁部材によって被覆されていてもよい。
この構成により、周囲の余計な組織が切開されてしまうことを防止することができる。【００１４】
また、上記態様においては、前記電極の露出している前記中央部分が、前記絶縁部材よりも前方に突出していてもよい。
この構成により、絶縁部材によって覆われている電極が組織と突き当たっても露出している中央部分を組織に確実に接触させて、効果的に切開を行うことができる。【００１５】
また、上記態様においては、前記電極駆動部が、前記電極に接続するワイヤと、前記先端部材に該先端部材を挟んで前記把持具に対して反対側の位置に先端が固定され、前記ワイヤとともに前記電極を前記長手軸に直交する方向に伸縮する弾性部材と、前記ワイヤを移動可能に挿入するチューブと、該チューブの基端に接続され、前記ワイヤを長手方向に進退操作する操作部とを備えていてもよい。
この構成により、操作者が操作部を操作してワイヤを進退させることによって、ワイヤに接続されている電極を内視鏡の長手軸に直交する方向に動作させることができる。【００１６】
また、上記態様においては、前記チューブが、前記電極に固定された鍔状部と、前記チューブの先端から基端側に所定距離離れた位置において設けられた段部とを備え、前記弾性部材は、前記段部と前記鍔状部との間に配置されていてもよい。
この構成により、操作者が操作部を操作してワイヤを牽引して後退させると、段部と鍔状部との間において弾性部材が圧縮されて内視鏡の視野の一方向に電極が移動し、牽引を緩めてワイヤを前進させると弾性部材の弾性復元力によって弾性部材が伸張して内視鏡の視野の一方向とは逆の他方向に電極が移動することができる。
【発明の効果】
【００１７】
本発明によれば、内視鏡と組織との位置関係を変動させることなく、切開すべき部位に精度よく電極を一致させることができるという効果を奏する。
【図面の簡単な説明】
【００１８】
【図１】本発明の一実施形態に係る内視鏡用処置具を示す側面図である。
【図２】図１の内視鏡用処置具の先端部を示す側面図である。
【図３】図１の内視鏡用処置具の先端部を示す平面図である。
【図４】図１の内視鏡用処置具の先端部を部分的に破断して示す正面図である。
【図５】図４の内視鏡用処置具において高周波切開電極を下降させた状態を部分的に破断して示す正面図である。
【図６】図１の内視鏡用処置具において処置具本体を押し出した状態を示す側面図である。
【図７】図６の内視鏡用処置具の処置具本体により粘膜を挙上した状態を示す側面図である。
【図８】図７の内視鏡用処置具の処置具本体により粘膜をさらに挙上した状態を示す側面図である。
【図９】図１の内視鏡用処置具の変形例を示す正面図である。
【発明を実施するための形態】
【００１９】
本発明の一実施形態に係る内視鏡用処置具１について図面を参照して以下に説明する。
本実施形態に係る内視鏡用処置具１は、図１に示されるように、内視鏡１００の先端に取り付けられる筒状のキャップ（先端部材）２と、キャップ２の先端前方に突出して配置された高周波切開電極（電極）３と、高周波切開電極３を移動させる電極駆動部４とを備えている。
以下においては、キャップ２が内視鏡１００の先端に取り付けられたときの内視鏡１００の視野の方向を上下左右として説明する。具体的には、上下方向は、内視鏡１００の長手軸に対して垂直な方向であり、左右方向は、内視鏡１００の長手軸に直交、かつ電極駆動部４による高周波切開電極３の移動方向に直交する方向である。
【００２０】
また、内視鏡用処置具１は、長尺の軟性の挿入部５と挿入部５の先端に配置された処置部（把持部）６とを備える処置具本体（把持具）７と、処置具本体７とキャップ２とを接続する接続部材８とを備えている。
キャップ２には、処置具本体７の挿入部５を長手軸方向に移動可能に挿入するチャンネル９と、接続部材８の一端を固定する保持部３０とが備えられている。
処置部６は、例えば、処置の対象となる生体組織（図６参照）Ｘを把持する把持鉗子であり、開閉可能な一対の把持片１０を備え、挿入部５の基端側において加えた力を、挿入部５内を貫通する図示しないワイヤによって把持片１０に伝達し、把持片１０を開閉させる。
【００２１】
キャップ２は、内視鏡１００の先端から軸方向に被せられる透明な樹脂製の筒状部材である。キャップ２の下面は、図４に示されるように、平坦に形成され、キャップ２の上面は、処置具本体７の移動を容易にするために、円筒状に形成されている。
チャンネル９は、キャップ２の上部の外周面近傍に、キャップ２の軸線に平行に配置され、処置具本体７の挿入部５を長手軸方向に移動可能に挿入する内径寸法を有している。
【００２２】
接続部材８は糸であり、図２に示されるように、処置具本体７の処置部６の基端に挿入部５の長手軸に直交する方向に形成された貫通孔１１を貫通している。接続部材８の両端は、キャップ２の長手軸を挟んで対称な位置、すなわちキャップ２の左右の外周面にそれぞれ設けられた保持部３０により固定されている。
【００２３】
高周波切開電極３は、図３および図４に示されるように、キャップ２の前方に左右方向に延びる棒状の電極部１２と、該電極部１２の中央部（中央部分）１３のみを露出させて他の部分を被覆し、電気的に絶縁する絶縁被覆（絶縁部材）１４とを備えている。絶縁被覆１４から露出している電極部１２の中央部１３はさらに前方にオフセットして配置されている。また、電極部１２の両端は屈曲し、相互に平行に延びている。
【００２４】
電極駆動部４は、図１に示されるように、電極部１２に電気的および機械的に接続するワイヤ１５と、キャップ２の下側に先端が固定され、ワイヤ１５を移動可能に挿入する長尺のチューブ１６と、チューブ１６の基端に接続され、ワイヤ１５を長手方向に進退させる操作部１７とを備えている。操作部１７は、操作者によって把持されるハンドル１８と、ハンドル１８に対して直線移動可能に支持されたスライダ１９とを備え、スライダ１９にワイヤ１５の一端が接続されている。
図中、符号２０は、ワイヤ１５に外部の電源を接続するためのプラグである。
【００２５】
チューブ１６の先端部は図３に示されるように左右２方向に分岐し、それぞれキャップ２の前方において、内視鏡１００の長手軸に対して垂直な方向に延出、具体的には、図２に示されるように上側に湾曲している。
上方に向かって延びるチューブ１６内には、図４および図５に示されるように、電極部１２の両端に固定された鍔状部２１と、チューブ１６の先端から基端側に所定距離離れた位置においてチューブ１６内に設けられた段部２２と、鍔状部２１と段部２２との間に配置された圧縮バネ（弾性部材）２３とが収容されている。圧縮バネ２３は、自由状態において、図４に示されるように伸張しており、操作部１７の操作によってワイヤ１５を基端側に牽引することにより、その牽引力によって、図５に示されるように圧縮される。
【００２６】
このように構成された本実施形態に係る内視鏡用処置具１の作用について以下に説明する。
本実施形態に係る内視鏡用処置具１を用いて視鏡的粘膜下層剥離術（ＥＳＤ）等の処置を実施するには、まず、図２に示されるように、内視鏡１００の先端にキャップ２を装着することにより、内視鏡１００に内視鏡用処置具１を装着する。このとき、処置具本体７を貫通させているチャンネル９が、内視鏡１００の視野の上側に位置する角度に装着する。
【００２７】
次いで、内視鏡用処置具１を装着した内視鏡１００を患者の体腔内に挿入し、内視鏡１００の視野内に患部が配置されるまで挿入する。そして、内視鏡１００を長手軸回りに回転させることにより、視野の下側に患部が配置される角度に調整する。キャップ２の下面が平坦に形成されているので、キャップ２の下面を粘膜（生体組織）Ｘに押し付けることにより内視鏡１００を体腔内に安定して保持することができる。
【００２８】
この状態で、処置具本体７の挿入部５を前進させる方向に押すことにより、図６に示されるように、処置部６が前進させられる。処置具本体７の処置部６の基端が、接続部材８によってキャップ２に拘束されているので、接続部材８が弛みなく延びた状態で挿入部５を長手軸方向に押圧し続けると、処置部６が接続部材８によってキャップ２の保持部３０を回転中心とする円弧状の軌跡に沿って下向きになる位置まで移動させられる。
【００２９】
この位置で、処置部６を開閉して患部の粘膜Ｘを把持し、挿入部５を手前側に引くことにより、図７に示されるように、把持した粘膜Ｘを挙上することができる。キャップ２の平坦な下面を粘膜Ｘに押し付けているので、粘膜Ｘの挙上の際に、筋層Ｙが持ち上がらないように押さえつけることができる。
【００３０】
この状態においては、切開すべき粘膜Ｘの下層は内視鏡視野の下方に位置するため、ハンドル１８を把持する操作者は、ハンドル１８に対してスライダ１９を基端側にスライドさせることにより、スライダ１９に取り付けられたワイヤ１５を基端側に牽引する。
【００３１】
これにより、ワイヤ１５に加えられた牽引力によって鍔状部２１が牽引されることにより、圧縮バネ２３が圧縮されて図５に示されるように電極部１２が押し下げられる。そして、この状態でプラグ２０からワイヤ１５を経由して電極部１２に電源を供給することにより、電極部１２の絶縁被覆１４から露出している中央部１３を粘膜Ｘの下層に接触させて、切開位置を内視鏡画像によって確認しながら適正に切開することができる。
【００３２】
また、図７および図８に示されるように、処置具本体７による粘膜Ｘの挙上の程度によっては切開すべき位置が上下方向に変動する。この場合においても、本実施形態に係る内視鏡用処置具１によれば、操作部１７においてスライダ１９に加えていた牽引力を緩めることにより、圧縮バネ２３を弾性復元力によって伸張させ、図４および図８に示されるように、電極部１２を上昇させることができ、切開すべき位置を調整することができる。
【００３３】
このように、本実施形態に係る内視鏡用処置具１によれば、内視鏡１００の前方に配置されている電極部１２を、内視鏡１００の視野を変動させることなく上下動させることができて、高周波切開電極３の電極部１２を切開すべき位置に適正に調整し、所望の位置を処置することができるという利点がある。
【００３４】
また、本実施形態においては、高周波切開電極３が棒状の電極部１２の中央部１３のみを露出させて絶縁被覆１４により被覆しているので、所望の部位を選択的に切開することができ、不必要な部分が切開されてしまう不都合の発生を未然に防止することができる。この場合、電極部１２を露出させている領域の長さは、キャップ２の横幅の２０％以上８０％以下であればよい。
また、絶縁被覆１４から露出している電極部１２を前方にオフセットさせているので、生体組織Ｘを高周波切開電極３の他の部分に干渉させることなく、実際に切開が行われる電極部１２のみを生体組織Ｘに接触させることができる。
【００３５】
また、電極駆動部４による高周波切開電極３の上下動範囲は、内視鏡１００の長手軸に直交する方向にキャップ２の下面から全高寸法の２／３の高さまでの範囲であることが好ましい。生体組織Ｘの挙上の度合いに応じて、切開すべき部位が、キャップ２の下から全高寸法２／３までの範囲で変化するので、この変化に追従させて適正な位置で切開を行うことができる。
また、電極駆動部４が、高周波切開電極３に通電するためのワイヤ１５を牽引することにより、高周波切開電極３を上下動させることとしたが、これに代えて、他の任意の方法により、高周波切開電極３を上下動させることにしてもよい。
【００３６】
また、例えば、図９に示されるように、キャップ２の上下に軸方向に沿って設けた貫通孔２４に一部の露出部分２５のみを絶縁被覆１４から露出させたワイヤ状の高周波切開電極３を挿入し、上下の一方の端部を先端側に押し、他方の端部を基端側に引くことにより、露出部分２５を上下動させることにしてもよい。
【符号の説明】
【００３７】
１  内視鏡用処置具
２  キャップ（先端部材）
３  高周波切開電極（電極）
４  電極駆動部
５  挿入部
６  処置部（把持部）
７  処置具本体（把持具）
８  接続部材
９  チャンネル
１３  中央部（中央部分）
１４  絶縁被覆（絶縁部材）
１５  ワイヤ
１６  チューブ
１７  操作部
２１  鍔状部
２２  段部
２３  圧縮バネ（弾性部材）
３０  保持部
１００  内視鏡
Ｘ  粘膜（生体組織）
【図１】
2020054014.tif 000003
【図２】
2020054014.tif 000004
【図３】
2020054014.tif 000005
【図４】
2020054014.tif 000006
【図５】
2020054014.tif 000007
【図６】
2020054014.tif 000008
【図７】
2020054014.tif 000009
【図８】
2020054014.tif 000010
【図９】
2020054014.tif 000011
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
内視鏡の先端に取り付けられる筒状の先端部材と、
前記内視鏡の外側面に前記内視鏡の長手軸に沿って設けられ、生体組織を把持し、かつ前記生体組織を把持した状態で前記長手軸に対して垂直な第１の方向に移動可能である把持具と、
前記先端部材の先端前方に突出して配置された電極と、
前記電極を前記第１の方向に移動させる電極駆動部と、
を有する内視鏡用処置具。
【請求項２】
前記先端部材と前記把持具とを接続する線状の接続部材を備え、
前記先端部材が、前記長手軸を挟んで前記先端部材の外周面に設けられ、前記接続部材の端部を固定する保持部を備え、
前記把持具は、前記把持具の先端が前記保持部を中心として回動可能に前記接続部材に接続され、
前記電極は、前記内視鏡の前記長手軸に直交、かつ前記電極駆動部による前記電極の移動方向に直交する方向に延出する請求項１に記載の内視鏡用処置具。
【請求項３】
前記先端部材が、前記内視鏡の前記長手軸に沿う方向に延びるチャンネルを備え、
前記把持具が、前記チャンネルに前記長手軸に沿う方向に移動可能に挿入される長尺の挿入部と、該挿入部の先端に配置された把持部とを備え、
前記接続部材が、前記先端部材の軸線および前記チャンネルの軸線を含む平面に直交する軸線を中心とした円弧状の軌跡に沿って、前記第１の方向に前記把持部を案内する請求項２に記載の内視鏡用処置具。
【請求項４】
前記電極駆動部が、前記電極を、前記第１の方向に前記先端部材の下から全高寸法の２／３までの範囲で移動させる請求項２に記載の内視鏡用処置具。
【請求項５】
前記電極は、前記内視鏡の前記長手軸に直交、かつ前記電極駆動部による前記電極の移動方向に直交する方向の中央部分を露出させ、前記先端部材の全幅寸法の２０％以上８０％以下の長さを電気的な絶縁部材によって被覆されている請求項２に記載の内視鏡用処置具。
【請求項６】
前記電極の露出している前記中央部分が、前記絶縁部材よりも前方に突出している請求項５に記載の内視鏡用処置具。
【請求項７】
前記電極駆動部が、前記電極に接続するワイヤと、前記先端部材に該先端部材を挟んで前記把持具に対して反対側の位置に先端が固定され、前記ワイヤとともに前記電極を前記長手軸に直交する方向に伸縮する弾性部材と、前記ワイヤを移動可能に挿入するチューブと、該チューブの基端に接続され、前記ワイヤを長手方向に進退操作する操作部とを備える請求項１に記載の内視鏡用処置具。
【請求項８】
前記チューブが、前記電極に固定された鍔状部と、前記チューブの先端から基端側に所定距離離れた位置において設けられた段部とを備え、
前記弾性部材は、前記段部と前記鍔状部との間に配置されている請求項７に記載の内視鏡用処置具。
【国際調査報告】
2020054014.tif 000012
2020054014.tif 000013
2020054014.tif 000014
2020054014.tif 000015